(57)【特許請求の範囲】
【請求項１】
ディスプレイを有する第１筐体と、前記第１筐体と相対的に移動できるように連結され、前記移動により前記ディスプレイを遮蔽する量が変化する第２筐体とを備える携帯端末であって、
前記移動に係る移動量を検出する検出手段と、
前記ディスプレイにおける、前記移動量に応じた位置に画像を表示させる制御を行う表示制御手段とを備え、
前記携帯端末は前記第２筐体の移動により開閉させることができるスライド式の携帯端末であり、
前記ディスプレイは矩形の形状を有し、前記携帯端末を閉じるときに前記第２筐体を移動させる方向と当該矩形の一辺とが略平行になるように配置されており、
前記表示制御手段は、
前記移動量に基づいて前記ディスプレイが遮蔽されている量である遮蔽量を特定し、
前記画像を、前記ディスプレイが遮蔽されない開状態において前記画像を表示させる位置から前記方向に、当該遮蔽量だけずらした位置に表示させ、
前記第２筐体は矩形の形状を持つ第２ディスプレイを有し、
前記第２ディスプレイは前記第１筐体が有するディスプレイである第１ディスプレイと一辺が平行になるように配置されており、
前記携帯端末は、
前記第１ディスプレイには前記画像を表示させ、前記第２ディスプレイには、前記開状態において前記第１ディスプレイに近くなる方の当該第２ディスプレイの端に接するように、前記画像の部分画像を表示させる制御を行う分割表示制御手段と、
前記携帯端末への所定の操作に応じて、前記表示制御手段又は前記分割表示制御手段のいずれか一方に表示の制御を行わせる切替手段とを備え、
前記部分画像は前記画像における、前記開状態において前記第２ディスプレイに近い側に表示される方の端から前記遮蔽量だけ離れた位置までの範囲の部分である
ことを特徴とする携帯端末。
【請求項２】
前記第１ディスプレイは表面に透明なタッチセンサを設けたタッチパネルであり、
前記所定の操作は前記第１ディスプレイに対する操作であり、
前記切替手段は、前記表示制御手段に表示の制御を行わせているときに前記第１ディスプレイに対する操作を検出すると、表示の制御を前記分割表示制御手段に行わせるようにする
ことを特徴とする請求項１に記載の携帯端末。
【請求項３】
前記表示制御手段は前記第２ディスプレイに、当該第２ディスプレイに表示させるための画像である第２画像を表示させ、
前記分割表示制御手段は、
前記第２ディスプレイには前記第２画像を表示させ、
更に前記部分画像の前記第２ディスプレイへの表示は前記第２画像と半透明で合成することによって行う
ことを特徴とする請求項１に記載の携帯端末。
【請求項４】
前記移動量は、前記第２筐体が移動した距離であり、
前記表示制御手段は、前記移動量に所定量を加えた値を前記遮蔽量として特定する
ことを特徴とする請求項１に記載の携帯端末。
【請求項５】
第１ディスプレイを有する第１筐体と、前記第１筐体と相対的に移動できるように連結され、第２ディスプレイを有する第２筐体とを備え、前記第２筐体の移動により、前記第１ディスプレイを遮蔽する量が変化する携帯端末であって、
前記第２筐体の移動に係る移動量を検出する検出手段と、
前記移動量に基づいて前記第１ディスプレイが遮蔽されている量である遮蔽量を特定し、前記第１ディスプレイにおいて、前記第１ディスプレイが遮蔽されない開状態において表示されるべき画像の位置から、当該携帯端末を閉じるときの前記第２筐体の移動方向に、当該遮蔽量だけずらした位置に、当該画像を表示させる表示制御手段と、
前記第１ディスプレイに、前記画像を表示させ、前記第２ディスプレイに、前記画像の部分画像を表示させる分割表示制御手段と、
前記携帯端末への所定の操作に応じて、前記表示制御手段及び前記分割表示制御手段のいずれか一方に表示の制御を行わせる切替手段とを備え、
前記部分画像は、前記画像における、前記開状態において前記第２ディスプレイに近い側に表示される方の端から前記遮蔽量だけ離れた位置までの範囲の部分である
ことを特徴とする携帯端末。
【発明の詳細な説明】
【技術分野】
【０００１】
本発明は携帯端末における表示技術に関し、特に複数の筐体が互いの相対位置を変化させられるように連結された携帯端末における表示技術に関する。
【背景技術】
【０００２】
複数の筐体が互いの相対位置を変化させられるように連結された従来の携帯端末として、２つの筐体をスライド自在に連結し、両方の筐体にディスプレイを設けた携帯端末が知られている（特許文献１参照）。
この携帯端末は、使用時にはいずれか一方の筐体を開く方向にスライドさせることで、２つのディスプレイを用いて多くの情報を表示できる。持ち運びの際にはいずれか一方の筐体を閉じる方向にスライドさせることで、一方のディスプレイのみが露出して他方のディスプレイが遮蔽されるコンパクトな状態にすることができる。
【先行技術文献】
【特許文献】
【０００３】
【特許文献１】特開２００７−１８９４１０号公報
【発明の概要】
【発明が解決しようとする課題】
【０００４】
ところで、狭い場所や込み合った場所等では、ユーザが携帯端末を途中まで開いた状態（以下、半開き状態という）で使用する状況になることが考えられる。
半開き状態では、携帯端末を閉じたときに遮蔽される側のディスプレイは、一部が露出して残りの部分は遮蔽されることとなる。
例えば、開いた状態においてある画像を表示していた場合、半開き状態では遮蔽された部分がユーザから見えなくなる。そのため、遮蔽された部分に重要な情報が表示されていたとすると、ユーザは重要な情報が欠落した情報しか見られないこととなり、不便が生じる。
【０００５】
上記のような不便は、連結された複数の筐体を互いに相対移動させることによりディスプレイの一部を遮蔽できるように構成された携帯端末であれば、スライド式の携帯端末に限らず起こり得る。
本発明は、上記の不便を軽減するためになされたものであって、半開き状態において有用な情報の閲覧に貢献できる携帯端末を提供することを目的とする。
【課題を解決するための手段】
【０００６】
上記の課題を解決するために、本発明に係る携帯端末は、ディスプレイを有する第１筐体と、前記第１筐体と相対的に移動できるように連結され、前記移動により前記ディスプレイを遮蔽する量が変化する第２筐体とを備える携帯端末であって、前記移動に係る移動量を検出する検出手段と、前記ディスプレイにおける、前記移動量に応じた位置に画像を表示させる制御を行う表示制御手段とを備え、前記携帯端末は前記第２筐体の移動により開閉させることができるスライド式の携帯端末であり、前記ディスプレイは矩形の形状を有し、前記携帯端末を閉じるときに前記第２筐体を移動させる方向と当該矩形の一辺とが略平行になるように配置されており、前記表示制御手段は、前記移動量に基づいて前記ディスプレイが遮蔽されている量である遮蔽量を特定し、前記画像を、前記ディスプレイが遮蔽されない開状態において前記画像を表示させる位置から前記方向に、当該遮蔽量だけずらした位置に表示させ、前記第２筐体は矩形の形状を持つ第２ディスプレイを有し、前記第２ディスプレイは前記第１筐体が有するディスプレイである第１ディスプレイと一辺が平行になるように配置されており、前記携帯端末は、前記第１ディスプレイには前記画像を表示させ、前記第２ディスプレイには、前記開状態において前記第１ディスプレイに近くなる方の当該第２ディスプレイの端に接するように、前記画像の部分画像を表示させる制御を行う分割表示制御手段と、前記携帯端末への所定の操作に応じて、前記表示制御手段又は前記分割表示制御手段のいずれか一方に表示の制御を行わせる切替手段とを備え、前記部分画像は前記画像における、前記開状態において前記第２ディスプレイに近い側に表示される方の端から前記遮蔽量だけ離れた位置までの範囲の部分であることを特徴とする。
【発明の効果】
【０００７】
上記の構成を持つ携帯端末によると、情報の閲覧の際に生じる不便の軽減に貢献できる。
【図面の簡単な説明】
【０００８】
【図１】実施形態１に係る携帯電話機１００の前面を示す斜視図であり、（ａ）は閉状態、（ｂ）は開状態、（ｃ）は半開き状態を示している。
【図２】携帯電話機１００の背面を示す斜視図である。
【図３】露出量について説明するための平面図である。
【図４】改良された表示機能に係る構成を示すブロック図である。
【図５】（ａ）は携帯電話機１００の寸法のＢＨ及びＭＢが対応する部分を示す平面図、（ｂ）は寸法記憶部４０３に格納されている寸法の内容例を示す図である。
【図６】遮蔽量について説明するための平面図であり、（ａ）は０＜遮蔽量＜ＢＨとなる状態、（ｂ）は遮蔽量が０となる状態、（ｃ）は遮蔽量がＢＨとなる状態を示している。
【図７】背後側タッチパネル１０５に対する表示について説明するための平面図である。
【図８】表示制御処理の流れ図である。
【図９】遮蔽量の特定処理の流れ図である。
【図１０】背後側タッチパネル１０５の表示処理の流れ図である。
【図１１】実施形態２の携帯電話機１００ａにおける表示機能に係る構成を示すブロック図である。
【図１２】携帯電話機１００ａでの前面側タッチパネル１０４に対する表示について説明するための平面図である。
【図１３】携帯電話機１００ａでの背後側タッチパネル１０５に対する表示について説明するための平面図である。
【図１４】携帯電話機１００ａでの表示制御処理の流れ図である。
【図１５】表示モードの決定処理の流れ図である。
【図１６】分割表示制御処理の流れ図である。
【図１７】背後側タッチパネル１０５の分割表示処理の流れ図である。
【図１８】前面側タッチパネル１０４の分割表示処理の流れ図である。
【図１９】表示態様のバリエーションの１つを示す図である。
【図２０】前面側筐体１０１及び背後側筐体１０２の形状のバリエーションを示す斜視図であり、（ａ）は円弧状の軌道でスライドする携帯端末、（ｂ）は前面側筐体１０１を折り畳んで遮蔽量を変化させる携帯端末を示している。
【発明を実施するための形態】
【０００９】
本発明の実施形態に係る携帯端末は、２画面の携帯電話機であり、表示機能を改良したものである。以下、各実施形態について、図面を参照しながら説明する。
＜実施形態１＞
＜構成＞
図１は、実施形態１に係る携帯電話機１００の外観を示している。図１に示すように、携帯電話機１００は前面側筐体１０１と背後側筐体１０２とにより構成されている。携帯電話機１００は、前面側筐体１０１と背後側筐体１０２とがスライド機構（図示せず）により連結されている、いわゆるスライド式の携帯電話機である。
【００１０】
また、携帯電話機１００は前面側筐体１０１の前面にキー１０３及び前面側タッチパネル１０４を備え、背後側筐体１０２の前面に前面側タッチパネル１０４と同じサイズの背後側タッチパネル１０５を備える。
図１（ａ）は、背後側筐体１０２の背後側タッチパネル１０５がある面（以下、前面という）が完全に隠れる閉状態を示している。図１（ｂ）は、閉状態からスライド方向に前面側筐体１０１が移動して、背後側筐体１０２の前面の露出可能な部分が完全に露出するようになった開状態を示している。また、図１（ｃ）は、閉状態と開状態との間において背後側筐体１０２の前面が一部露出している半開き状態を示している。
【００１１】
以下では、携帯電話機１００を開くために前面側筐体１０１を移動させる方向と同じ方向を上、その逆の方向を下ということとする。
前面側タッチパネル１０４及び背後側タッチパネル１０５はいずれも、指やスタイラス等の指示物によるタッチを感知するタッチパネルである。これらのタッチパネルは、画面の表示を行う液晶ディスプレイ及びタッチ操作の位置を検出するタッチセンサを有する。
【００１２】
２つのタッチパネルが有する液晶ディスプレイはいずれも長方形の形状をしており、長辺がスライド方向と平行になるように配置されている。液晶ディスプレイは、所定の画素数（例えば長辺の方向に４００画素、短辺の方向に３００画素等）の画素を並べ、所定の画素数の画像を表示する。
２つのタッチパネルが有するタッチセンサはいずれも透明材料により構成されており、液晶ディスプレイの表面に重ね合わせて配置されている。
【００１３】
更に携帯電話機１００は、図２に示すように前面側筐体１０１の背面（前面とは反対側の面）に露出量検出部２０１を備える。
露出量検出部２０１は、直線状の抵抗体とその上を摺動するスライダー（図示せず）とから構成されており、スライダーが接触する抵抗体の抵抗値を読み取って露出量を検出する。ここでは、抵抗体の特性に基づいて抵抗値をミリメートル単位に換算した値を露出量として出力することとする。
【００１４】
図３に示すように露出量は、背後側筐体１０２の前面が露出している部分の上下方向の長さを示す値とする。
例えば、５０ｍｍ開いている状態では露出量は５０となり、閉状態では最小値の０となる。また、開状態で９０ｍｍまで開くことができるとすると、開状態において露出量は最大値の９０となる。
【００１５】
図示しないが、携帯電話機１００は他にメモリ及びプロセッサも備え、通話手段など携帯電話機が標準的に持つハードウェアも備える。
続いて、改良された表示機能に係る構成について、図４に基づいて説明する。
同図に示すように携帯電話機１００は、先述した前面側タッチパネル１０４、背後側タッチパネル１０５及び露出量検出部２０１に加え、前面側表示バッファ４０１、背後側表示バッファ４０２、寸法記憶部４０３及び表示制御部４０４を備える。
【００１６】
前面側表示バッファ４０１は、前面側タッチパネル１０４に表示するための情報を示す画像（以下、前面側画像という）を格納しているメモリの領域である。
背後側表示バッファ４０２は、背後側タッチパネル１０５に表示するための情報を示す画像（以下、背後側画像という）を格納しているメモリの領域である。
前面側画像及び背後側画像は、それぞれ前面側タッチパネル１０４及び背後側タッチパネル１０５の画素数と同じ画素数を持ち、いずれも携帯電話機１００を制御するアプリケーションプログラム（図示せず）が実行されることによって生成される。このアプリケーションプログラムは、開状態における前面側タッチパネル１０４及び背後側タッチパネル１０５の表示領域に合わせて前面側画像及び背後側画像を生成する。
【００１７】
このようなアプリケーションプログラムには、例えば電子メールを閲覧するためのものがある。
寸法記憶部４０３は、図５（ａ）に示すように、背後側タッチパネル１０５の長辺の長さ（ＢＨ）及び、背後側タッチパネル１０５の下端から背後側筐体１０２の下端までの距離（ＭＢ）の寸法のデータを格納しているメモリの領域である。
【００１８】
寸法のデータは、図５（ｂ）に示すようにそれぞれミリメートル単位で格納されている。図５（ｂ）の例では、ＢＨが８０で、ＭＢが５となっている。これは、背後側タッチパネル１０５の長辺の長さが８０ｍｍであり、背後側タッチパネル１０５の下端から背後側筐体１０２の下端まで５ｍｍの距離があることを示している。
表示制御部４０４は、前面側タッチパネル１０４及び背後側タッチパネル１０５への画像の表示を制御する。
【００１９】
表示制御部４０４は、前面側画像をそのまま前面側タッチパネル１０４に表示させる前面側表示制御部４０５、遮蔽量特定部４０６及び背後側表示制御部４０７を有する。
前面側表示制御部４０５、遮蔽量特定部４０６及び背後側表示制御部４０７は、メモリに格納されたプログラムをプロセッサが実行することにより実現される。
遮蔽量特定部４０６は、背後側タッチパネル１０５が前面側筐体１０１によって遮蔽されている遮蔽量を特定する。
【００２０】
図６（ａ）に示すように、背後側タッチパネル１０５の一部分が遮蔽されている場合（ＭＢ＜露出量＜ＢＨ＋ＭＢ）には、遮蔽量と露出量との和はＢＨとＭＢとの和と等しくなる。この場合、遮蔽量はＢＨ＋ＭＢ−露出量で算出できる。
図６（ｂ）に示すように、背後側タッチパネル１０５が完全に露出している場合（露出量≧ＢＨ＋ＭＢ）には遮蔽量は０となる。
【００２１】
図６（ｃ）に示すように、背後側タッチパネル１０５が完全に遮蔽されている場合（露出量≦ＭＢ）には遮蔽量はＢＨと等しくなる。
背後側表示制御部４０７は、背後側画像から、背後側タッチパネル１０５への出力用の画像を生成し、背後側タッチパネル１０５に表示させる。
ただし、遮蔽量＝０の場合は背後側画像をそのまま背後側タッチパネル１０５に表示させることとする。また、遮蔽量＝ＢＨの場合には節電のため背後側タッチパネル１０５のバックライトを消灯させることとする。
【００２２】
出力用の画像の生成は、所定の画素数の画像に対し、その画像の上端から遮蔽量だけ下の位置に、背後側画像の上端が位置するように背後側画像を描画することで行う。ここで、画像における「上」及び「下」はそれぞれ、前面側タッチパネル１０４又は背後側タッチパネル１０５に表示させるときに上及び下となる方向とする。
なお、描画する位置は画像においては画素数により表され、遮蔽量はミリメートルで表されるため、描画する位置は背後側タッチパネル１０５のディスプレイの解像度を用いてミリメートル単位の位置から画素数単位で示される座標値に変換して特定する。ここで座標値は、左上の端を原点（０、０）とした（ｘ、ｙ）の座標で示されることとする。
【００２３】
以下、画像をミリメートル単位の位置を用いて描画する場合には、上記と同様に座標値を特定し、その座標値を予め用意されている描画関数に施すことによって描画処理を行うこととする。
図７は、背後側表示制御部４０７が生成する画像と表示の例を示している。背後側表示バッファ４０２には背後側画像としてメールの一覧の表示イメージ７０１が格納されている。背後側表示制御部４０７は所定の画素数の画像に対し、その画像の上端から遮蔽量だけ下の位置に表示イメージ７０１の上端が位置するように表示イメージ７０１を描画することで、出力用の画像７０２を生成する。そして出力用の画像７０２を背後側タッチパネル１０５に表示させると、表示イメージ７０１の上端が前面側筐体１０１の下端に接しているような表示態様となる。
＜動作＞
以下、表示制御処理について、図８の流れ図に沿って説明する。
【００２４】
まず遮蔽量特定部４０６が、露出量検出部２０１が検出した露出量を取得し（ステップＳ８０１）、遮蔽量を特定する（ステップＳ８０２）。遮蔽量の特定処理については後述する。
遮蔽量が特定されたら、その遮蔽量がＢＨに等しいか否かを背後側表示制御部４０７が判定する（ステップＳ８０３）。
【００２５】
遮蔽量がＢＨに等しい場合（ステップＳ８０３：ＹＥＳ）、背後側表示制御部４０７は背後側タッチパネル１０５のバックライトを消灯させる（ステップＳ８０４）。
遮蔽量がＢＨに等しくない場合（ステップＳ８０３：ＮＯ）、背後側表示制御部４０７は背後側タッチパネル１０５のバックライトを点灯させ（ステップＳ８０５）、背後側タッチパネル１０５の表示処理を行う（ステップＳ８０６）。背後側タッチパネル１０５の表示処理については後述する。
【００２６】
そして、前面側表示制御部４０５が前面側画像をそのまま前面側タッチパネル１０４に表示させ（ステップＳ８０７）、ステップＳ８０１に戻る。
次に、遮蔽量特定部４０６が行う遮蔽量の特定処理について、図９の流れ図に沿って説明する。
遮蔽量特定部４０６は、まず露出量がＢＨ＋ＭＢ以上であるか否かを判定し（ステップＳ９０１）、ＢＨ＋ＭＢ以上である場合（ステップＳ９０１：ＹＥＳ）、遮蔽量を０に特定する（ステップＳ９０２）。
【００２７】
露出量がＢＨ＋ＭＢ未満である場合（ステップＳ９０１：ＮＯ）、遮蔽量特定部４０６は露出量がＭＢ以下であるか否かを判定する（ステップＳ９０３）。
露出量がＭＢ以下である場合（ステップＳ９０３：ＹＥＳ）には、遮蔽量特定部４０６は遮蔽量をＢＨに特定する（ステップＳ９０４）。露出量がＭＢより大きい場合（ステップＳ９０３：ＮＯ）には遮蔽量をＢＨ＋ＭＢ−露出量に特定する（ステップＳ９０５）。
【００２８】
次に、背後側表示制御部４０７が行う背後側タッチパネルの表示処理について、図１０の流れ図に沿って説明する。
背後側表示制御部４０７は、まず遮蔽量が０か否かを判定し（ステップＳ１００１）、０の場合（ステップＳ１００１：ＹＥＳ）には背後側画像を背後側タッチパネル１０５にそのまま表示させる（ステップＳ１００２）。
【００２９】
遮蔽量が０でない場合（ステップＳ１００１：ＮＯ）、背後側表示制御部４０７は遮蔽量に応じた出力用の画像を以下のように生成する（ステップＳ１００３）。
開状態で背後側画像を表示するとした場合における描画開始位置を示す座標（ｘ、ｙ）のｙ座標に、遮蔽量を画素数に変換した値（α）を加えた新たな座標（ｘ、ｙ＋α）を特定する。
【００３０】
背後側タッチパネル１０５の画素数に対応する出力用の領域を確保し、確保した出力用の領域に対し、新たな座標を描画関数に施して背後側画像を描画する。
そして、出力用の領域において背後側画像が描画されない部分は、背景色（例えば黒）で塗りつぶす。
このようにして生成した出力用の画像を、背後側表示制御部４０７は背後側タッチパネル１０５に表示させる（ステップＳ１００４）。
【００３１】
このようにすることで、図７のように遮蔽量だけ背後側画像の表示位置が元の表示位置から下にずれるので、遮蔽されていない部分に背後側画像の上部を表示することができる。
そのため、背後側画像の上部に重要な情報が含まれていた場合（図７の例では最新のメール）、半開き状態においても有用な情報の閲覧が可能となる。
＜実施形態２＞
以下、実施形態２として、通常表示モードと分割表示モードとの２つの表示モードを持ち、背後側タッチパネル１０５へのタッチ操作で表示モードを切り替えられるように携帯電話機１００を変更した携帯電話機１００ａについて説明する。
【００３２】
ここで、通常表示モードとは実施形態１と同じように表示を行う表示モードである。以下では通常表示モードを単に「通常表示」ということとする。
分割表示モードとは、背後側画像を背後側タッチパネル１０５の露出している部分と前面側タッチパネル１０４の一部分とに分割して表示する表示モードである。以下では分割表示モードを単に「分割表示」ということとする。
＜構成＞
携帯電話機１００ａの表示機能に係る構成は、図１１に示すように、携帯電話機１００の構成に加えて分割表示制御部１１０１及び表示モード切替部１１０２を備える。
【００３３】
分割表示制御部１１０１は、前面側分割表示制御部１１０３及び背後側分割表示制御部１１０４を有し、分割表示を行うための制御を行う。
表示モード切替部１１０２は表示モードを記憶する記憶領域を有し、背後側タッチパネル１０５においてタッチが検出されたときに表示モードを通常表示と分割表示とで交互に切り替える。
【００３４】
表示モードを通常表示に切り替えると、表示モード切替部１１０２は表示制御部４０４の前面側表示制御部４０５及び背後側表示制御部４０７を動作させ、分割表示制御部１１０１の前面側分割表示制御部１１０３及び背後側分割表示制御部１１０４は動作させない。
表示モードを分割表示に切り替えると、表示モード切替部１１０２は分割表示制御部１１０１の前面側分割表示制御部１１０３及び背後側分割表示制御部１１０４を動作させ、表示制御部４０４の前面側表示制御部４０５及び背後側表示制御部４０７は動作させない。
【００３５】
また、携帯電話機１００ａの起動直後における表示モードは通常表示とする。
前面側分割表示制御部１１０３は、前面側タッチパネル１０４への出力用の画像を生成し、前面側タッチパネル１０４に表示させる。
前面側タッチパネル１０４への出力用の画像の生成は、図１２に示すように、上側には前面側画像の上の部分を、下側には背後側画像の上から遮蔽量分の大きさの部分を描画することによって行う。
【００３６】
ただし、遮蔽量＝０の場合は前面側画像をそのまま表示させ、遮蔽量＝ＢＨの場合は背後側画像をそのまま表示させ、出力用の画像の生成は行わないこととする。
背後側分割表示制御部１１０４は、背後側画像の下の部分を背後側タッチパネル１０５に表示させる。
ここでは、図１３に示すように、背後側画像の上から遮蔽量の分だけ取り除いた画像を生成し、生成された画像を背後側タッチパネル１０５に表示させることとする。
【００３７】
ただし、遮蔽量＝０の場合は背後側画像をそのまま背後側タッチパネル１０５に表示させることとする。また、遮蔽量＝ＢＨの場合は節電のため背後側タッチパネル１０５のバックライトを消灯させることとする。
＜動作＞
携帯電話機１００ａの動作は、以下の点が携帯電話機１００から変更されており、他の動作は同じである。
【００３８】
図１４に示すように、表示制御処理において遮蔽量の特定処理（ステップＳ８０２）の後に、後述する表示モードの決定処理（ステップＳ１４０１）及び、表示モード切替部１１０２が行う表示モードの判定（ステップＳ１４０２）を追加している。
ステップＳ１４０２における判定の結果、表示モードが通常表示だった場合（ステップＳ１４０２：通常表示）にはステップＳ８０３以下の処理を行う。分割表示だった場合（ステップＳ１４０２：分割表示）には後述する分割表示制御処理を行う（ステップＳ１４０３）。
【００３９】
次に、追加された表示モードの決定処理について、図１５の流れ図に沿って説明する。
まず表示モード切替部１１０２は、背後側タッチパネル１０５においてタッチが検出されたか否かを判定し（ステップＳ１５０１）、タッチが検出されていた場合（ステップＳ１５０１：ＹＥＳ）には、現在の表示モードを判定する（ステップＳ１５０２）。
現在の表示モードが通常表示だった場合（ステップＳ１５０２：通常表示）には、表示モード切替部１１０２は表示モードを分割表示に変更する（ステップＳ１５０３）。分割表示だった場合（ステップＳ１５０２：分割表示）には、表示モードを通常表示に変更する（ステップＳ１５０４）。
【００４０】
続いて、分割表示制御部１１０１が行う分割表示制御処理について図１６に沿って説明する。
まず背後側分割表示制御部１１０４が、遮蔽量＝ＢＨか否かを判定し（ステップＳ８０３ａ）、判定の結果に応じて背後側タッチパネル１０５の点灯及び消灯の制御を行う（ステップＳ８０４ａ、ステップＳ８０５ａ）。これらの処理は、背後側表示制御部４０７が行うステップＳ８０３〜ステップＳ８０５の処理と同等である。
【００４１】
ステップＳ８０５ａの後には、背後側分割表示制御部１１０４は背後側タッチパネルの分割表示処理を行う。（ステップＳ１６０１）
そしてステップＳ８０４ａ及びステップＳ１６０１の後に、前面側分割表示制御部１１０３が、前面側タッチパネルの分割表示処理を行う（ステップＳ１６０２）。
背後側タッチパネルの分割表示処理について、図１７に沿って説明する。
【００４２】
まず、背後側分割表示制御部１１０４が遮蔽量＝０か否かを判定し（ステップＳ１７０１）、０の場合（ステップＳ１７０１：ＹＥＳ）には背後側画像を背後側タッチパネル１０５にそのまま表示させる（ステップＳ１７０２）。
遮蔽量≠０の場合（ステップＳ１７０１：ＮＯ）、背後側分割表示制御部１１０４は背後側画像の遮蔽量より下の部分を描画してできる出力用の画像を生成する（ステップＳ１７０３）。
【００４３】
出力用の画像の生成は、背後側タッチパネル１０５の画素数に対応する出力用の領域を確保し、その領域の上端から遮蔽量〜ＢＨの部分に、背後側画像の上端から遮蔽量〜ＢＨの部分を描画することで行う。
ここで、出力用の領域において背後側画像が描画されない部分は、背景色で塗りつぶすこととする。
【００４４】
例えば、遮蔽量が５０ｍｍの場合に長辺の長さが８０ｍｍの背後側タッチパネル１０５に表示することを考えると、背後側画像の上端から５０ｍｍ〜８０ｍｍにあたる部分を出力用の領域の上端から５０ｍｍ〜８０ｍｍの部分に描画する。そして、出力用の領域の上端から０ｍｍ〜５０ｍｍの部分を背景色で塗りつぶす。
そして、生成した出力用の画像を背後側タッチパネル１０５に表示させる（ステップＳ１７０４）。
【００４５】
続いて、前面側タッチパネル１０４の分割表示処理について、図１８に沿って説明する。
まず前面側分割表示制御部１１０３は、遮蔽量＝０か否かを判定し（ステップＳ１８０１）、０ならば（ステップＳ１８０１：ＹＥＳ）前面側画像を前面側タッチパネル１０４にそのまま表示させる（ステップＳ１８０２）。
【００４６】
遮蔽量≠０の場合（ステップＳ１８０１：ＮＯ）、前面側分割表示制御部１１０３は遮蔽量＝ＢＨか否かを判定する（ステップＳ１８０３）。
遮蔽量＝ＢＨの場合（ステップＳ１８０３：ＹＥＳ）、前面側分割表示制御部１１０３は背後側画像を前面側タッチパネル１０４にそのまま表示させる（ステップＳ１８０４）。
【００４７】
遮蔽量≠ＢＨの場合（ステップＳ１８０３：ＮＯ）、以下のように出力用の画像を生成して前面側タッチパネル１０４に表示させる。
まず前面側分割表示制御部１１０３は、前面側タッチパネル１０４の画素数に対応する出力用の領域を確保し、出力用の領域の上端から０〜（ＢＨ−遮蔽量）の部分に、前面側画像の上端から０〜（ＢＨ−遮蔽量）の部分を描画する（ステップＳ１８０５）。
【００４８】
そして出力用の領域の上端から（ＢＨ−遮蔽量）〜ＢＨの部分に、背後側画像の上端から０〜遮蔽量の部分を描画する（ステップＳ１８０６）。
このようにして生成された出力用の画像を、前面側タッチパネル１０４に表示させる（ステップＳ１８０７）。
遮蔽量が５０ｍｍの場合に長辺の長さが８０ｍｍの前面側タッチパネル１０４に表示する例を考える。まず前面側分割表示制御部１１０３は、出力用の領域の上端から０ｍｍ〜３０ｍｍ（８０ｍｍ−５０ｍｍ）の部分に前面側画像の上端から０ｍｍ〜３０ｍｍの部分を描画する。そして出力用の領域の上端から３０ｍｍ〜８０ｍｍの部分に背後側画像の上端から０ｍｍ〜５０ｍｍの部分を描画する。
＜変形例＞
以上、本発明に係る携帯電話機について実施形態に基づいて説明したが、本発明は上述の実施形態で示した通りの携帯電話機に限られず、例えば以下に列挙するような改変を行っても良いことは勿論である。
【００４９】
（１）実施形態１及び２の通常表示において、遮蔽量＝０の場合は背後側画像をそのまま背後側タッチパネル１０５に表示させることとしたが、遮蔽量＞０の場合と同じく出力用の画像を生成して表示させても良い。
（２）実施形態１及び２では、遮蔽量＝ＢＨの場合は節電のため背後側タッチパネル１０５のバックライトを消灯させることとしたが、特に節電を考えないのであればバックライトを消灯させる必要はない。
【００５０】
また、背後側タッチパネル１０５にバックライトが複数ある場合には、遮蔽量に応じてそれぞれのバックライトを個別に制御しても良い。例えば、前面側筐体１０１に遮蔽されて見えない部分に対するバックライトを消灯させるようにすることができる。
（３）実施形態１及び２では、背後側タッチパネル１０５において背後側画像が描画されていない領域は背景色で塗りつぶすこととしたが、背景色以外の何らかの表示を行っても良い。
【００５１】
（４）実施形態１及び２の通常表示において、前面側タッチパネル１０４に対して下から上へ向かうようにスライド操作することで、スライド操作に追随して引っ張り出すように背後側画像を前面側タッチパネル１０４に表示させても良い。
なお、タッチパネルに対するスライド操作とは、タッチパネル上の任意の指示位置に指示物を接触させ、指示物を接触させたまま指示位置を移動させる操作のことである。
【００５２】
例えば、前面側タッチパネル１０４に対するスライド操作の移動量を引き出し量ということとして、図１９のように、背後側タッチパネル１０５には背後側画像の上端から引き出し量〜（引き出し量＋ＢＨ−遮蔽量）の部分を表示させ、前面側タッチパネル１０４には前面側画像の上端から０〜（ＢＨ−引き出し量）の部分と背後側画像の上端から０〜引き出し量の部分とを表示させることとしても良い。
【００５３】
ここで更に、背後側画像の表示しようとする部分の範囲が背後側画像の大きさを超えた場合、すなわち（引き出し量＋ＢＨ−遮蔽量）＞ＢＨ（引き出し量＞遮蔽量）となった場合には、超えた部分を以下のようにしても良い。
（ａ）背後側画像を引き延ばして表示しても良い。
（ｂ）前面側画像において前面側タッチパネル１０４に表示されなくなった部分の一部を表示させても良い。
【００５４】
（ｃ）上記のいずれでもない画像を表示させても良い。例えば背後側画像がメールの一覧を示すものであれば、一覧の続きを示した画像等でも良い。
（ｄ）背景色で塗りつぶしても良い。
また、引き出し量を遮蔽量の大きさで飽和させ、背後側画像の表示しようとする部分の範囲が背後側画像の大きさを超えないようにしても良い。
【００５５】
（５）実施形態２では、背後側タッチパネル１０５へのタッチ操作によって通常表示と分割表示の切り替えを行うこととしたが、別の操作でも良い。
例えばタッチではなくスライドやフリック操作でも良いし、操作の対象は背後側タッチパネル１０５ではなく前面側タッチパネル１０４やキー１０３であっても良い。
また、通常表示と分割表示との切り替えは同じ操作ではなく、異なる操作で行っても良い。
【００５６】
例えば、通常表示から分割表示への切り替えは背後側タッチパネル１０５へのタッチを検出したときに行い、分割表示から通常表示への切り替えは前面側タッチパネル１０４へのタッチを検出したときに行うこととしても良い。
（６）実施形態２の分割表示において、前面側タッチパネル１０４に背後側画像の一部を表示するとき（ステップＳ１８０６）、前面側画像の上端から（ＢＨ−遮蔽量）〜ＢＨの部分と半透明で合成して表示させても良い。
【００５７】
更に、分割表示において前面側タッチパネル１０４のタッチ等の操作により、背後側画像の一部をそのまま表示する態様と半透明で前面側画像と合成して表示する態様とを切り替えるようにしても良い。
（７）実施形態１及び２の通常表示において、前面側タッチパネル１０４又は背後側タッチパネル１０５に対するスライド操作により、背後側タッチパネル１０５の表示内容をスクロールできても良い。
【００５８】
（８）実施形態２において、通常表示から分割表示への切り替えを、徐々に遷移するように見えるようアニメーションにより表現しても良い。逆に、分割表示から通常表示への切り替えもアニメーションにより表現して良い。
（９）実施形態１及び２において、携帯電話機は直線的にスライドするものを例に挙げたが、図２０（ａ）のように円弧状の軌道でスライドするようにしても良い。
【００５９】
（１０）実施形態１及び２では、スライド式の携帯電話機を例に挙げて説明したが、２つの筐体のうち少なくとも１つにディスプレイを備え、ディスプレイの遮蔽量が一方の筐体の移動により変化する携帯端末であれば、スライド式の携帯電話機には限らない。
例えば図２０（ｂ）のように、回転軸２００１を中心に前面側筐体１０１を折り畳むことで遮蔽量を変更できるような携帯電話機であっても良い。
【００６０】
また、携帯電話機に限る必要もなく、ＰＤＡ（Ｐｅｒｓｏｎａｌ  Ｄｉｇｉｔａｌ  Ａｓｓｉｓｔａｎｔ）や携帯型ゲーム機等であっても良い。
（１１）実施形態１及び２では、前面側筐体１０１と背後側筐体１０２との２つの筐体により構成される携帯電話機を例に挙げたが、前面側筐体１０１及び背後側筐体１０２の両方又はいずれか一方に更に別の筐体を連結し、３つ以上の筐体を連結してなる携帯電話機としても良い。
【００６１】
（１２）実施形態１及び２において、露出量は背後側筐体１０２の前面が露出している部分の上下方向の長さを示す値としたが、前面側筐体１０１の移動に伴って変化する値であれば他の値でも良い。
例えば、開状態における前面側筐体１０１の位置から現在の前面側筐体１０１の位置までの距離を示す値を用いても良い。その場合には、遮蔽量の算出方法を変更する。
【００６２】
（１３）実施形態１及び２では、露出量検出部２０１は露出量をミリメートル単位の値で出力することとしたが、別の尺度の値を出力しても良い。同様に、寸法記憶部４０３に格納されている寸法のデータもミリメートル以外の尺度の値であって良い。
例えば露出量を画素数単位の値としても良い。これに伴って遮蔽量やＢＨやＭＢ等の値も画素数単位で管理すれば、ミリメートル単位から画素数単位に変換するための計算が不必要になる。
【００６３】
（１４）実施形態１及び２では、露出量検出部２０１は前面側筐体１０１の背面の２箇所に配置されている例を挙げたが、露出量を検出できるならどのように配置しても構わない。
例えば背後側筐体１０２の前面に配置しても良いし、１箇所だけに配置しても良い。また、前面側筐体１０１と背後側筐体１０２との両方に配置しても良い。
【００６４】
（１５）実施形態１及び２では、露出量検出部２０１は抵抗体により構成されているものとしたが、露出量を検出できるのであればどのような方法で実現しても構わない。
例えば、光センサを直線状に複数並べて、いくつの光センサで光が検出されたかによって露出量を検出するようにしても良い。また、前面側筐体１０１の背面と背後側筐体１０２の前面との対抗する２箇所にそれぞれ金属板を張り付け、２つの金属板の間の静電容量によって露出量を検出しても良い。
【００６５】
（１６）実施形態１及び２では、遮蔽量をＢＨ＋ＭＢ−露出量の計算で特定することとしたが、これに更に所定量を加えて遮蔽量を特定しても良い。
検出された露出量が誤差により実際の露出量より大きな値として検出された場合の例を考える。所定量を足さないと、遮蔽量は実際に遮蔽されている量より小さくなり、背後側画像の上端が前面側筐体１０１の下端より上の位置になって、背後側画像の上側の一部が隠れてしまう。一方、所定量として露出量検出部２０１の取り得る誤差の大きさを加算すれば、このような場合には誤差により遮蔽量が小さくなった分を打ち消すことができ、背後側画像の上側が隠れることを避けることができる。
【００６６】
例えば、露出量検出部２０１が１ミリメートル刻みの離散値で露出量を出力するとすれば、±１ミリメートルまでの誤差が生じ得る。そのため、所定量として１ミリメートルを遮蔽量に加えれば、背後側画像の上側の１ミリメートルが隠れてしまうことを防ぐことができる。
また、ユーザの操作により遮蔽量の大きさをＢＨ＋ＭＢ−露出量から変化させても良い。例えば、キー１０３による操作によって遮蔽量を調節できるようにしても良い。
【００６７】
（１７）実施形態１及び２では、前面側タッチパネル１０４及び背後側タッチパネル１０５には異なる情報を示す画像を表示する例を挙げたが、前面側タッチパネル１０４と背後側タッチパネル１０５の２つで１つの大きな画像を表示するようにしても良い。
（１８）実施形態１及び２では、前面側筐体１０１の前面に操作のためのキー１０３を備えることとしたが、必ずしも必要ではない。例えば、全ての操作がタッチパネルで行える場合には不要である。
【００６８】
逆に、全ての操作がキー１０３によって行えるのであれば、前面側タッチパネル１０４及び背後側タッチパネル１０５はタッチパネルでなくとも良く、単なる液晶ディスプレイでも良い。
（１９）実施形態１及び２では、前面側タッチパネル１０４及び背後側タッチパネル１０５は画像の表示に液晶ディスプレイを備えることとしたが、画像の表示には液晶ディスプレイ以外の装置を用いても良い。
【００６９】
そのような装置には例えば、有機ＥＬ（Ｅｌｅｃｔｒｏ−Ｌｕｍｉｎｅｓｃｅｎｃｅ）ディスプレイ等がある。
（２０）実施形態１では、前面側タッチパネル１０４と背後側タッチパネル１０５は異なるサイズであっても差し支えない。
実施形態２では、前面側タッチパネル１０４と背後側タッチパネル１０５は同じサイズであることが望ましいが、分割表示において画面の大きさの違いに合わせて背後側画像の前面側タッチパネル１０４に表示される部分の大きさや位置などを調整するのであれば、前面側タッチパネル１０４と背後側タッチパネル１０５は異なるサイズとすることもできる。
【００７０】
（２１）実施形態１では、背後側タッチパネルにのみ画像を表示するようにして、前面側タッチパネル１０４は省いても構わない。
（２２）実施形態１及び２では、前面側タッチパネル１０４及び背後側タッチパネル１０５は長方形であることとしたが、長方形以外の形状でも良い。
例えば、前面側タッチパネル１０４及び背後側タッチパネル１０５の両方又はいずれか一方が正方形であっても良い。
【００７１】
（２３）実施形態１及び２において、メモリ及びプロセッサは前面側筐体１０１及び背後側筐体１０２のいずれの筐体に備えていても良い。
（２４）上記の各変形例はそれぞれ組み合わせて実施されても良い。
＜まとめ＞
以下、本実施形態に係る携帯端末における構成及び効果について説明する。
【００７２】
（１）本実施形態に係る携帯端末は、ディスプレイを有する第１筐体と、前記第１筐体と相対的に移動できるように連結され、前記移動により前記ディスプレイを遮蔽する量が変化する第２筐体とを備える携帯端末であって、前記移動に係る移動量を検出する検出手段と、前記ディスプレイにおける、前記移動量に応じた位置に画像を表示させる制御を行う表示制御手段とを備える。
【００７３】
実施形態中では、ディスプレイは背後側タッチパネル１０５、第１筐体は背後側筐体１０２、第２筐体は前面側筐体１０１、検出手段は露出量検出部２０１、表示制御手段は表示制御部４０４により実現されている。また、移動量は実施形態中では露出量に対応する。
上記の構成を持つ携帯端末によると、移動量に応じた位置に画像を表示することができ、情報の閲覧の際に生じる不便の軽減に貢献できる。
【００７４】
例えば、携帯端末を閉じるときに先に遮蔽される側のディスプレイの端に、画像のうち重要な情報を持つ部分が表示されることになっていたとする。このとき、遮蔽される方の端から他方の端に向かう方向に、移動量に応じた距離だけ離れた位置に画像を表示したとすると、露出している部分に重要な情報を持つ部分が表示される可能性が高くなる。
（２）ここで、前記携帯端末は前記第２筐体の移動により開閉させることができるスライド式の携帯端末であり、前記ディスプレイは矩形の形状を有し、前記携帯端末を閉じるときに前記第２筐体を移動させる方向と当該矩形の一辺とが略平行になるように配置されており、前記表示制御手段は、前記移動量に基づいて前記ディスプレイが遮蔽されている量である遮蔽量を特定し、前記画像を、前記ディスプレイが遮蔽されない開状態において前記画像を表示させる位置から前記方向に、当該遮蔽量だけずらした位置に表示させることとしても良い。
【００７５】
このようにすることで、遮蔽されている量だけ画像の表示位置が元の表示位置からずれるので、遮蔽されていない部分に画像の重要な部分を表示することができる。
なお、図２０（ａ）のように円弧状にスライドする方式の携帯端末では、移動の方向と矩形の一辺とが厳密に平行になることはないが、その方向と矩形の一辺とがなす角度が小さく略平行といえる状態であれば良い。
【００７６】
（３）ここで、前記第２筐体は矩形の形状を持つ第２ディスプレイを有し、前記第２ディスプレイは前記第１筐体が有するディスプレイである第１ディスプレイと一辺が平行になるように配置されており、前記携帯端末は、前記第１ディスプレイには前記画像を表示させ、前記第２ディスプレイには、前記開状態において前記第１ディスプレイに近くなる方の当該第２ディスプレイの端に接するように、前記画像の部分画像を表示させる制御を行う分割表示制御手段と、前記携帯端末への所定の操作に応じて、前記表示制御手段又は前記分割表示制御手段のいずれか一方に表示の制御を行わせる切替手段とを備え、前記部分画像は前記画像における、前記開状態において前記第２ディスプレイに近い側に表示される方の端から前記遮蔽量だけ離れた位置までの範囲の部分であることとしても良い。
【００７７】
実施形態中では、第２ディスプレイは前面側タッチパネル１０４、分割表示制御手段は分割表示制御部１１０１、切替手段は表示モード切替部１１０２によって実現される。
このようにすることで、画像の全体を見たい場合にはユーザが所定の操作を行うことで、第１ディスプレイの遮蔽されていない部分だけでなく、第２ディスプレイの一部も使って画像を表示できるようになる。
【００７８】
（４）ここで、前記第１ディスプレイは表面に透明なタッチセンサを設けたタッチパネルであり、前記所定の操作は前記第１ディスプレイに対する操作であり、前記切替手段は、前記表示制御手段に表示の制御を行わせているときに前記第１ディスプレイに対する操作を検出すると、表示の制御を前記分割表示制御手段に行わせるようにすることとしても良い。
【００７９】
このようにすることで、表示制御手段により画像の下側が見えない表示になっているときに、その画像に対するタッチやフリックなどの操作によって表示制御手段による画像の全域が見える表示に切り替えることができる。
この操作は見たい画像自身に対する操作なので、画像とは無関係な場所に位置するキーなどの操作と比べて直観的で手軽である。
【００８０】
（５）ここで、前記表示制御手段は前記第２ディスプレイに、当該第２ディスプレイに表示させるための画像である第２画像を表示させ、前記分割表示制御手段は、前記第２ディスプレイには前記第２画像を表示させ、更に前記部分画像の前記第２ディスプレイへの表示は前記第２画像と半透明で合成することによって行うこととしても良い。
第２ディスプレイに第２画像を表示しているとき、分割表示において部分画像が表示されている部分の第２画像は通常では隠されてしまうが、このようにすることで隠された部分も確認することができるようになる。
【００８１】
（６）ここで、前記移動量は、前記第２筐体が移動した距離であり、前記表示制御手段は、前記移動量に所定量を加えた値を前記遮蔽量として特定することとしても良い。
検出手段には、検出の方法により誤差が発生することが考えられる。遮蔽量の算出の際に所定量を足さないと、遮蔽量が実際に遮蔽されている量より小さくなることが起こり得る。そうなると、見たい画像の重要な部分が第２筐体により隠されてしまう。
【００８２】
そこで、所定量として検出手段の取り得る誤差の大きさを加算すれば、このような場合には誤差により遮蔽量が小さくなった分を打ち消すことができ、画像の重要な部分が隠れることを避けることができる。
＜補足＞
実施形態中での前面側画像、背後側画像、前面側タッチパネルへの出力用の画像及び背後側タッチパネルへの出力用の画像はいずれも所定の画素数の画像である。
【００８３】
前面側画像及び背後側画像は従来の携帯電話機においてはそれぞれ前面側タッチパネル及び背後側タッチパネルに表示される。本実施の形態に係る携帯電話機においても、開状態では前面側画像及び背後側画像はそれぞれ前面側タッチパネル及び背後側タッチパネルにそのまま表示される。
前面側タッチパネルへの出力用の画像及び背後側タッチパネルへの出力用の画像は、本実施形態においてそれぞれ前面側タッチパネル１０４及び背後側タッチパネル１０５に実際に表示される画像である。
【産業上の利用可能性】
【００８４】
本発明に係る携帯端末は、複数の筐体が互いの相対位置を変化させられるように連結された携帯端末に適用することができ、特に２つの筐体にそれぞれディスプレイを持つスライド式の携帯電話機として有用である。
【符号の説明】
【００８５】
１００、１００ａ  携帯電話機
１０１  前面側筐体
１０２  背後側筐体
１０３  キー
１０４  前面側タッチパネル
１０５  背後側タッチパネル
２０１  露出量検出部
４０１  前面側表示バッファ
４０２  背後側表示バッファ
４０３  寸法記憶部
４０４  表示制御部
４０５  前面側表示制御部
４０６  遮蔽量特定部
４０７  背後側表示制御部
１１０１  分割表示制御部
１１０２  表示モード切替部
１１０３  前面側分割表示制御部
１１０４  背後側分割表示制御部
【図１】
0005565861.tif 000002
【図２】
0005565861.tif 000003
【図３】
0005565861.tif 000004
【図４】
0005565861.tif 000005
【図５】
0005565861.tif 000006
【図６】
0005565861.tif 000007
【図７】
0005565861.tif 000008
【図８】
0005565861.tif 000009
【図９】
0005565861.tif 000010
【図１０】
0005565861.tif 000011
【図１１】
0005565861.tif 000012
【図１２】
0005565861.tif 000013
【図１３】
0005565861.tif 000014
【図１４】
0005565861.tif 000015
【図１５】
0005565861.tif 000016
【図１６】
0005565861.tif 000017
【図１７】
0005565861.tif 000018
【図１８】
0005565861.tif 000019
【図１９】
0005565861.tif 000020
【図２０】
0005565861.tif 000021